(57)【要約】【課題】温水洗浄便座と便器の多種の組み合わせに対応することができ、しかも接続部があっても水漏れのおそれがない温水洗浄便座付水洗便器を提供する。【解決手段】便器４と便器４に搭載した温水洗浄便座１２とからなる温水洗浄便座付水洗便器１である。水道配管と接続する給水口２を温水洗浄便座側Ａに設ける。この給水口２から給水する給水管路５を温水洗浄便座側Ａで２つの管路に分岐して温水洗浄ノズル８に給水する温水洗浄用給水管路５ａと便器４に給水する便器用給水管路５ｂとを形成する。温水洗浄用給水管路５ａ及び便器用給水管路５ｂの夫々に減圧弁６，９を設ける。便器用給水管路５ｂを減圧弁６より下流側で且つ便器４より上流側で温水洗浄便座側Ａと便器側Ｂとに分割すると共にこの分割した部分を接続部Ｃで接続する。【選択図】        図１
2006002493.tif 000002
【特許請求の範囲】
【請求項１】
便器と便器に搭載した温水洗浄便座とからなる温水洗浄便座付水洗便器であって、水道配管と接続する給水口を温水洗浄便座側に設け、この給水口から給水する給水管路を温水洗浄便座側で２つの管路に分岐して温水洗浄ノズルに給水する温水洗浄用給水管路と便器に給水する便器用給水管路とを形成し、温水洗浄用給水管路及び便器用給水管路の夫々に減圧弁を設け、便器用給水管路を減圧弁より下流側で且つ便器より上流側で温水洗浄便座側と便器側とに分割すると共にこの分割した部分を接続部で接続したことを特徴とする温水洗浄便座付水洗便器。
【発明の詳細な説明】
【技術分野】
【０００１】
本発明は、便器と便器に搭載した温水洗浄便座とからなる温水洗浄便座付水洗便器に関するものである。
【背景技術】
【０００２】
従来、便器と便器に搭載した温水洗浄便座とからなる温水洗浄便座付水洗便器で温水洗浄ノズルや便器に給水する場合、例えば図４に示すようになっている（例えば、特許文献１参照）。これは温水洗浄便座付水洗便器１の便器側Ｂに給水口２を設けてあり、水道配管側に止水栓３を介して給水口２を接続し得るようにしてある。この給水口２は便器４と便器用給水管路５ｂ′を介して連通させてあり、便器用給水管路５ｂ′に減圧弁６、電磁弁７を順に配置してある。また温水洗浄便座側Ａには温水洗浄ノズル８に給水するための温水洗浄用給水管路５ａ′を設けてあり、温水洗浄用給水管路５ａ′に減圧弁９、電磁弁１０及び貯湯タンク１１を順に配置してある。そして便器側Ｂの便器用給水管路５ｂ′から減圧弁６より上流側で分岐した管路と温水洗浄便座側Ａの温水洗浄用給水管路５ａ′の減圧弁９より上流側とを接続部Ｃで接続することにより温水洗浄便座側Ａ側の配管と便器側Ｂの配管とを接続してある。
【０００３】
また、他の従来例として図５に示すように温水洗浄便座側Ａと便器側Ｂとを配管上一体型にしたものがある。水道配管側に止水栓３を介して接続し得る給水口２から給水する給水管路５を温水洗浄便座付水洗便器１で２つの管路に分岐することにより温水洗浄ノズル８に給水するための温水洗浄用給水管路５ａと便器４に給水するためための便器用給水管路５ｂとを形成してあり、温水洗浄用給水管路５ａに減圧弁９、電磁弁１０及び貯湯タンク１１を順に配置してあり、便器用給水管路５ｂに減圧弁６、電磁弁７を順に配置してある。
【特許文献１】特開２００３−２６８８３９号公報
【発明の開示】
【発明が解決しようとする課題】
【０００４】
上記のような温水洗浄便座付水洗便器１の場合、１つの給水口２を水道配管に接続するだけで温水洗浄便座及び便器４の両方に給水することができるようになるが、図４の従来例の場合、温水洗浄便座側Ａへの給水のための接続部Ｃは水道配管からの給水圧を直接受けるために接続部Ｃの接続施工を怠った場合、多大な水漏れに繋がり、拡大損害を招くおそれがある。また図５の従来例の場合、図４のような接続部Ｃがないために上記のような水漏れ事故が回避されるが、一般に便器４及び温水洗浄便座は設置される地域、排水管位置並びに使用者の要求によって種々の便器４と温水洗浄便座の組み合わせが考えられるため、図５の従来例の場合、温水洗浄便座と便器４とが一体になった温水洗浄便座付水洗便器１の製造業者はそれらの組み合わせを考慮して多数の品種をラインナップする必要がある。
【０００５】
本発明は上記の従来の問題点に鑑みて発明したものであって、１つの給水口から温水洗浄便座と便器に給水することができるものであっても、温水洗浄便座と便器の多種の組み合わせに対応することができ、しかも接続部があっても水圧に低い部分であるために水漏れのおそれがない温水洗浄便座付水洗便器を提供することを課題とするものである。
【課題を解決するための手段】
【０００６】
上記課題を解決するために本発明に係る温水洗浄便座付水洗便器は、便器４と便器４に搭載した温水洗浄便座１２とからなる温水洗浄便座付水洗便器１であって、水道配管と接続する給水口２を温水洗浄便座側Ａに設け、この給水口２から給水する給水管路５を温水洗浄便座側Ａで２つの管路に分岐して温水洗浄ノズル８に給水する温水洗浄用給水管路５ａと便器４に給水する便器用給水管路５ｂとを形成し、温水洗浄用給水管路５ａ及び便器用給水管路５ｂの夫々に減圧弁６，９を設け、便器用給水管路５ｂを減圧弁６より下流側で且つ便器４より上流側で温水洗浄便座側Ａと便器側Ｂとに分割すると共にこの分割した部分を接続部Ｃで接続したことを特徴とする。
【０００７】
上記構成によれば、１つの給水口２を水道配管と接続するだけで温水洗浄便座１２及び便器４の両方に給水することができる。このように１つの給水口２から給水できるものであっても便器用給水管路５ｂの温水洗浄便座側Ａと便器側Ｂとを接続部Ｃで接続することで温水洗浄便座１２と便器４の組み合わせを変えることができて多種の組み合わせに容易に対応することができる。また接続部Ｃで接続する部分が減圧弁６より下流側にあるために接続部Ｃにかかる水圧が低くて水漏れするおそれがなくなる。
【発明の効果】
【０００８】
本発明は叙述のように構成されているので、１つの給水口を水道配管と接続するだけで接続できるものであっても、接続部で接続するようにすることにより、温水洗浄便座と便器の組み合わせを変えることができて多種の組み合わせに対応することができるという効果があり、しかも接続部で接続しても接続部で接続する部分から水漏れするおそれがない。
【発明を実施するための最良の形態】
【０００９】
以下、本発明を添付図面に示す実施形態に基いて説明する。
【００１０】
本発明の温水洗浄便座付水洗便器１は便器−温水洗浄便座一体型と称されるものであり、図２に示すように便器４の上に温水洗浄便座１２を載設してこれらの間を連結することで組み立てられるようになっている。
【００１１】
この温水洗浄便座付水洗便器１の温水洗浄便座側Ａには図１に示すように給水口２を設けてあり、この給水口２が水道配管と止水栓３を介して接続してある。この給水口２から給水する給水管路５は２つの管路に分岐してあって、温水洗浄用給水用管路５ａと便器用給水管路５ｂとを形成してある。この温水洗浄用給水管路５ａには減圧弁９、電磁弁１０、貯湯タンク１１を順に配置してあり、温水洗浄用給水管路５ａの先端にはお尻洗浄したりビデ洗浄したりする温水洗浄ノズル８を設けてある。上記貯湯タンク１１には瞬間湯沸し機能を設けてある。便器用給水管路５ｂには減圧弁６、電磁弁７を順に配置してあり、便器用給水管路５ｂの先端に便器４を設けてあり、便器用給水管路５ｂから便器４に水を供給して便器４を洗浄できるようになっている。この便器４は便器ボウル１３内に水を溜めてから排水トラップを回動駆動したりして一気に排水することにより洗浄する所謂ターントラップ洗浄方式で洗浄するものであり、少ない水の使用量で便器４を洗浄するものである。
【００１２】
ところで、温水洗浄便座付水洗便器１の温水洗浄便座側Ａ側の配管と便器側Ｂの配管とは着脱可能に接続する構造になっており、便器用給水管路５ｂは温水洗浄便座側Ａと便器側Ｂとの間で接続部Ｃにて接続する構造になっている。つまり、減圧弁６や電磁弁７より下流側で便座用給水管路５ｂは温水洗浄便座側Ａと便器側Ｂとに分割してあり、この分割した部分を接続部Ｃにて接続してある。図２、図３に示すように便器用給水管路５ｂの温水洗浄便座側Ａの端部の接続口１４と便座用給水管路５ｂの便器側Ｂの接続口１５とを接続スリーブのような接続部Ｃで接続してある。
【００１３】
上記のような温水洗浄便座付水洗便器１では１つの給水口２と水道配管とを接続するだけで温水洗浄用給水管路５ａを介して温水洗浄便座１２に給水できると共に便器用給水管路５ｂを介して便器４に給水できる。このように１つの給水口２から温水洗浄便座１２及び便器４の両方に給水できるものでも、便器用給水管路５ｂの温水洗浄便座Ａ側と便器側Ｂとを接続部Ｃで接続することで温水洗浄便座１２と便器４の組み合わせを変えることができて多種の組み合わせに容易に対応することができる。また接続部Ｃで接続する部分が減圧弁６より下流側にあるために接続部Ｃにかかる水圧が低くて水漏れするおそれがなくなる。
【図面の簡単な説明】
【００１４】
【図１】本発明の実施の形態の一例の温水洗浄便座付水洗便器の給水の管路を示す管路図である。
【図２】同上の温水洗浄便座付水洗便器の分解斜視図である。
【図３】同上の接続部の接続状態を示す斜視図である。
【図４】一従来例の給水の管路を示す管路図である。
【図５】他の従来例の給水の管路を示す管路図である。
【符号の説明】
【００１５】
１  温水洗浄便座付水洗便器
２  給水口  
４  便器
５  給水管路
５ａ  温水洗浄用給水管路
５ｂ  便器用給水管路
６  減圧弁
９  減圧弁
Ａ  温水洗浄便座側
Ｂ  便器側
Ｃ  接続部
【図１】
2006002493.tif 000003
【図２】
2006002493.tif 000004
【図３】
2006002493.tif 000005
【図４】
2006002493.tif 000006
【図５】
2006002493.tif 000007